(57)【特許請求の範囲】
【請求項１】
開口部内周面にすりばち形のテーパ面を形成した射出スリーブの型スリーブに、このテーパ面の内端に接続される段部を形成し、一方、鋳造時この型スリーブに接続される分流子の、上記テーパ面と接合する先細のテーパ面を形成した先端部端面に、周囲に環堤部を残して凹陥部を形成して、接続時この環堤部を型スリーブの段部に突き当てるようにし、他方、分流子の環提部の上方及び型スリーブの先端部の上方を所定の幅で切り欠いてランナーを形成すると共に、このランナーの上記凹陥部底面との交差部を少なくとも凹陥部底面の中心より下方に設定し、この交差部とランナーの背面とを滑らかな曲面で接続したことを特徴とするダイカストマシンにおける分流子の接続方法
。
【発明の詳細な説明】
【０００１】
【発明の属する技術分野】
この発明は、ダイカストマシンにおける分流子の接続方法（以下単に分流子の接続方法という）に係り、特に、ダイカスト製品に巣穴が発生し難く、溶湯の流れを円滑にして安定した鋳造を可能にする分流子の接続方法に関する。
【０００２】
【従来の技術】
分流子１は、図１に示すように、ダイカストマシン２の可動ダイプレート３の例えば下方に装着され、鋳造時、図２に示すように、固定ダイプレート１０側の射出スリーブ４の出力端に装着された型スリーブ５と接合して、ランナーを接続すると共に、溶湯の方向を上方の金型６方向に偏向させるものである。
【０００３】
この分流子１の機能は、上記したものの他に、ダイカスト鋳造後型を開いたとき、分流子１と製品を一体的に射出スリーブ４から切り離すことである。
【０００４】
そして、この分流子１の接続方法は、図３及び図４に詳細に示すように、大体の形状が段付きの短円柱体で、鋳造時その小径の先端部を型スリーブ５の開口端に嵌合させるようにして金型６と射出スリーブ４とを接続する。
【０００５】
なお、型スリーブ５の開口端部の内周面は内側ほど小径になるテーパ面となっており、これに対応して、分流子１の小径先端部は、先細のテーパ面となっている。
【０００６】
上記分流子１の上方には、型スリーブ５側から見て例えば一定の幅で切り欠かれており、ランナー７が形成されている。このランナー７は、分流子１と型スリーブ５との接続時、図３に示すように、型スリーブ５の開口端縁部が挿入されているため断面Ｌ字形で幅がＷ(図４参照)の空隙である。
【０００７】
【発明が解決しようとする課題】
通常のダイカストマシンは、図５に示すように、給湯口８から射出スリーブ４内に潤滑油を注入し、溶融したアルミ合金９を給湯した後、ピストン１１によってアルミ合金９を前記金型６(図２参照)方向に圧送する。
【０００８】
なお、潤滑油は射出スリーブ４の内面に施し、アルミ合金の離型とピストン１１の潤滑に用いるものである。
【０００９】
従来のダイカストマシンは、潤滑油がアルミ合金９の熱により蒸発し或いは燃焼し、ガスとなってアルミ合金と共に金型内に流入するので、製品に巣穴が生じる、という不都合があった。
【００１０】
また、注入されたアルミ合金が図５のａ、ｂ部及びｃ部（射出スリーブ４の内周面）で凝固し、これが邪魔になってピストン１１の圧力を金型空洞内に伝達し難かった。
【００１１】
更にまた、ショットサイクル(ピストン１１の作動サイクル)を短縮して作業能率を向上させようとすると、主に図５のｄ部で破裂が起こり、作業上の危険、アルミ合金が分割面に残る、ショットサイクルの短縮ができない、等の不都合があるばかりでなく、製品に悪影響を及ぼしていた。
【００１２】
それは、大量に巻き込んでいる潤滑油の蒸発ガスの背圧が、まだ完全に凝固していない、或いは凝固していても高温で強度が小さいアルミ合金の強度を越えるからである。
【００１３】
加えて、射出時ピストン１１の圧力が型スリーブ５のテーパ部内周面に印加され（図３及び図５参照）、その状態で離型、すなわち分流子１が型スリーブ５から離れるので、凝固アルミ合金とテーパ部内周面との間に齧りが生じて型スリーブの摩耗が早く、摩耗が進むとピストンの隙間からアルミ合金が射出スリーブ４側に飛出す所謂バックフラッシュが生じていた。
【００１４】
そこで、この発明は、上記した種々の不都合を解消できる分流子の接続方法を提供することを目的としている。
【００１５】
【課題を解決するための手段】
上記の目的を達成するため、この発明によるダイカストマシンにおける分流子の接続方法は、開口部内周面にすりばち形のテーパ面を形成した射出スリーブの型スリーブに、このテーパ面の内端に接続される段部を形成し、一方、鋳造時この型スリーブに接続される分流子の、上記テーパ面と接合する先細のテーパ面を形成した先端部端面に、周囲に環堤部を残して凹陥部を形成して、接続時この環堤部を型スリーブの段部に突き当てるようにし、他方、分流子の環提部の上方及び型スリーブの先端部の上方を所定の幅で切り欠いてランナーを形成すると共に、このランナーの上記凹陥部底面との交差部を少なくとも凹陥部底面の中心より下方に設定し、この交差部とランナーの背面とを滑らかな曲面で接続したことを特徴とする。
【００１６】
【実施例】
以下、図６乃至図９を参照して本発明の実施例について説明する。
図６において符号５はこの発明の一実施例による分流子の接続方法における型スリーブを示し、この型スリーブ５は、従来のものと異なりその開口端内周面のすり鉢形のテーパ面１２の内端に段部１３が接続されている。
【００１７】
一方、鋳造時この型スリーブに接続される分流子１の、上記テーパ面１２と接合する先細のテーパ面を形成した先端部端面に、周囲に環堤部１４を残して凹陥部１５が形成されている。
【００１８】
そして、分流子１が型スリーブ５に接続されるとき、図６に示すように、環堤部１４が型スリーブの段部１３に突き当たり、また、凹陥部１５と型スリーブ５の内筒部１６の径が同じになるように各部の寸法が設定されている。
【００１９】
他方、分流子のテーパ部の上方及び型スリーブ５の先端部の上方が所定の幅で切り欠かれてランナー７が形成されている。
【００２０】
そして、このランナー７の上記凹陥部１５の底面との交差部１７は、少なくとも凹陥部底面の中心より下方に設定されており、また、この交差部１８とランナーの背面１８とは滑らかな曲面で接続されている。
【００２１】
上記した本発明の一実施例による分流子の接続方法においては、図３に示す従来のものと比較して、ピストンが往復する型スリーブの内筒部１６の出口上方に環堤部１４を切り欠いた結果のガス抜き空間１９が形成される。
【００２２】
上記のように構成されたこの発明の一実施例による分流子１は、従来のものと比較して、製品に巣穴が生じる度合いが格段に減少する。
【００２３】
その理由は、一口で言うと、射出スリーブ４内に開口するランナー７の開度が大きくなると共に、ランナー７の内方(図６で右方)にガス抜き空間１９が存在するからである。
【００２４】
すなわち、従来の分流子１のランナー７の開口は、図４に示すように、その接続部１７が分流子の内面の中心よりかなり上方に設定されているため、射出スリーブ４側から見ると小さな扇面形の穴になる。
【００２５】
そのため、図７に示すように、最初射出スリーブ４の下方に位置していた溶融アルミ合金９は、ピストンに押されてその液面を上昇させつつ左方に移動する過程において、先ず分流子１の内面に衝突した溶融アルミ合金９の一部が上向きに力を受ける。
【００２６】
このとき、一部の溶融アルミ合金９はランナー７の開口を通って金型（製品キャビティ）方向に移動するが、残部は勢いでランナーの開口をかすめて射出スリーブ４内に還流する方向に力を受けるため、前記潤滑油の蒸発・燃焼ガス１５をかなり大きなガス泡として巻き込んでしまう。
【００２７】
更にピストンが前進すると、図８に示すように、潤滑油のガス１５を泡として金型に送ってしまうので、ダイカスト製品に巣穴が生じるのである。
【００２８】
一方、図６に示すようにランナー７の射出スリーブ４内における開口を大きくすると共に、ランナー７の開口の内方にガス抜き空間１９が存在すると、上記したガスを巻き込む溶融アルミ合金９の還流が生じないばかりでなく、比重の小さなガスはガス抜き空間１９に抜け、溶融アルミ合金の液面とランナー７の上面との間の間隙を通って金型に流入することになる（所謂先行逃がし）。
【００２９】
しかしながら、金型（製品キャビティ）には通常オーバーフロー（ガス抜き孔）が開口しているので、ガスが湯の中に泡となって混入していない限りガスはこのガス抜き孔から外部空間に排出される。
【００３０】
すなわち、ガスが先に逃げて後からアルミ合金が金型に入るので、図７或いは図８に示すようにアルミ合金がガスを巻き込んで一緒に金型に流入することが無いのである。
【００３１】
また、この発明による分流子においても図５のｂ部に相当する箇所に凝固部が同様に発生するが、従来のものと比較してピストンが凝固皮の内側の溶融部を押すので剥離し易く、したがってこの凝固部が無くなるのでダイカストの圧力伝達が効率良く行われる。
【００３２】
更にまた、従来図５のｄ部に残っていたガスがこの発明による分流子を用いると外部空間に排出されるので、従来生じていた破裂が皆無となり、ｄ部における湯が完全に凝固するまで待っていたために長くなっていたショットサイクルを短くする。
【００３３】
加えて、型スリーブ５の開口端縁部の上方を切り欠いてランナー７を形成したことにより、ランナー７が従来のものと比較して冷却水管２１に近接するので、従来破裂が頻発していたｄ部の冷却が効率良く行われるようになり、このことが破裂の度合いを小さくしてショットサイクルの増大に寄与している。
【００３４】
また、射出時のピストンの圧力が型スリーブ５のテーパ面にではなく分流子１の環堤部１４及び凹陥部１５に印加される構造になっているので（図６参照）、ピストン１１の摺動が円滑になり、従来のものと比較して離型時における型スリーブ５のテーパ面の齧りが皆無となって型スリーブの寿命も長くなる。
【００３５】
図９はこの発明の変形実施例を示し、この実施例は、交差部１７を環堤部１４の内側にまで下げたものである。
【００３６】
図９に示すものは、図６に示す実施例と比較してガス抜き空間１９が更に大きくなるので、ガスが溶融アルミ合金に巻き込まれる度合いが更に減少する。
【００３７】
【発明の効果】
以上の説明から明らかなように、この発明は、開口部内周面にすりばち形のテーパ面を形成した射出スリーブの型スリーブに、このテーパ面の内端に接続される段部を形成し、一方、鋳造時この型スリーブに接続される分流子の、上記テーパ面と接合する先細のテーパ面を形成した先端部端面に、周囲に環堤部を残して凹陥部を形成して、接続時この環堤部を型スリーブの段部に突き当てるようにし、他方、分流子のテーパ部の上方及び型スリーブの先端部の上方を所定の幅で切り欠いてランナーを形成したので、ランナーの内方にガス抜き空間が形成されることになり、潤滑油の燃焼、蒸発によって生じるガスが泡となって湯の中に混入しないので、製品に巣穴が生じることを効果的に防止できる。
【００３８】
また、ガスが湯の中に混入しないので、従来ランナー内に残存するガスの為に生じていた破裂が無くなり、ショットサイクルを短くして生産効率を向上させることができる。
【００３９】
更にまた、型スリーブの開口端縁部の上方を切り欠いてランナーを形成したことにより、ランナーが従来のものと比較して冷却水管に近接するので、従来破裂が頻発していたランナー内部の冷却が効率良く行われるようになり、破裂の度合いを更に小さくしてショットサイクルの増大させることができる。
【００４０】
また、ランナーの凹陥部底面との交差部を少なくとも凹陥部底面の中心より下方に設定し、この交差部とランナーの背面とを滑らかな曲面で接続したから、射出スリーブ内部から見たランナーの開口が大きくなり、湯とガスの分離が更に効率良くなる、等種々の効果を奏する。
【図面の簡単な説明】
【図１】  ダイカストマシンの側面図で、可動ダイプレートが後退した状態を示す。
【図２】  図１と同様のダイカストマシンの側面図で、ダイカストを形成した直後の状態を示す。
【図３】  従来の分流子の接続方法の一例を示す断面図。
【図４】  従来の分流子の正面図。
【図５】  従来の射出スリーブと分流子との接続方法の一例を示す断面図。
【図６】  この発明の一実施例による分流子の接続方法の一例を示す断面図。
【図７】  従来の分流子の接続方法におけるガスの混入を説明するための線図的断面図。
【図８】  図７と同様の線図的断面図。
【図９】  この発明の他の実施例による分流子の接続方法の一例を示す断面図。
【符号の説明】
１  分流子
２  ダイカストマシン
３  可動ダイプレート
４  射出スリーブ
５  型スリーブ
６  金型
７  ランナー
１１  ピストン
１２  テーパ面
１３  段部
１４  環堤部
１５  凹陥部
１６  内筒部
１７  交差部
１８  背面
１９  ガス抜き空間
２１  冷却水管
【図１】
0004281887.tif 000002
【図２】
0004281887.tif 000003
【図３】
0004281887.tif 000004
【図４】
0004281887.tif 000005
【図５】
0004281887.tif 000006
【図６】
0004281887.tif 000007
【図７】
0004281887.tif 000008
【図８】
0004281887.tif 000009
【図９】
0004281887.tif 000010